(57)【要約】【課題】コピーカードなどによる不正行為を防止することにより、精算カードの識別ＩＤに対するセキュリティ保護を向上可能な遊技媒体貸出システムを提供する。【解決手段】メダル貸出機に対して、外部から投入される識別媒体に予め記録した識別ＩＤに関連付けて、遊技による残金情報を島コントローラに記憶させ、遊技客の移動による他の遊技機での遊技時には、他の遊技機に隣設されたメダル貸出機に識別媒体を挿入し、識別媒体の識別ＩＤに関連付けられた残金情報を島コントローラから取得し、精算カードを使用して残金の精算をおこない、精算済みの精算カードは精算機による識別ＩＤの登録機能および更新機能により識別ＩＤを別の識別ＩＤに更新することにより再利用する。【選択図】　　　図２
2004081616.tif 000002
【特許請求の範囲】
【請求項１】
有価媒体を受け入れて遊技媒体を貸し出す遊技媒体貸出装置と、当該遊技媒体貸出装置に対して使用される識別媒体と、当該識別媒体に対して予め付与された識別情報に関連付けて有価価値の管理をおこなう管理装置と、前記識別媒体を受け入れるとともに、前記識別媒体に関連付けられる有価価値の精算をおこなう精算装置とを備えた遊技媒体貸出システムであって、
前記管理装置は、
前記識別媒体に記録された識別情報に関連付けて有価価値情報を記憶するとともに格納する有価価値情報管理テーブルと、
前記識別媒体に印字された固有番号に関連付けて前記識別情報の登録管理情報を格納する識別媒体情報管理テーブルとを備え、
前記精算装置は、
外部から投入された前記識別媒体に記録された識別情報を読み取る読み取り手段および前記識別媒体に対して所定の識別情報を書き込む書き込み手段とを有する第２識別情報処理手段と、
前記識別媒体から読み取った前記識別情報とは異なる識別情報に更新する識別情報更新手段と、
前記識別媒体の受け入れ時に、当該識別媒体に記録された識別情報を前記管理装置に送信するとともに、前記有価価値情報管理テーブルに格納された複数の識別情報のうちから一致する識別情報を抽出し、当該識別媒体に関連付けられた有価価値情報を取得し、当該有価価値情報に基づいて精算金を払い出す精算制御手段と、
を備えることを特徴とする遊技媒体貸出システム。
【請求項２】
有価価値となる紙幣を受け入れて遊技媒体を貸し出す遊技媒体貸出装置と、当該遊技媒体貸出装置に対して使用される識別媒体と、当該識別媒体に対して予め付与された識別情報に関連付けて、前記有価価値の管理をおこなう管理装置と、前記識別媒体を受け入れるとともに、前記遊技媒体の貸出しにともなって生じる残金の精算をおこなう精算装置とを備えた遊技媒体貸出システムであって、
前記遊技媒体貸出装置は、
外部から投入された前記識別媒体の識別情報を読み取る第１識別情報処理手段と、
高額紙幣を含む有価価値の異なる複数種類の紙幣を受け入れ可能な紙幣受け入れ手段と、
前記複数種類の紙幣に価値付けされた有価価値を金額情報として種類別に記憶する金額情報記憶手段と、前記金額情報記憶手段に記憶された金額情報に基づいて、前記遊技媒体の貸出をおこなうとともに当該貸出しにともなって前記有価価値の減算をおこなう制御手段とを備え、
前記管理装置は、
前記識別媒体に記録された識別情報に関連付けて、遊技にともなって減算した前記有価価値の残金情報を記憶するとともに格納する残金情報管理テーブルと、前記識別媒体に印字された固有番号に関連付けて前記識別情報の登録管理情報を格納する識別媒体情報管理テーブルとを備え、
前記精算装置は、
外部から投入された前記識別媒体に記録された識別情報を読み取る読み取り手段および前記識別媒体に対して所定の識別情報を書き込む書き込み手段とを有する第２識別情報処理手段と、
前記識別媒体から読み取った前記識別情報とは異なる識別情報に更新する識別情報更新手段と、
前記識別媒体の受け入れ時に、当該識別媒体に記録された識別情報を前記管理装置に送信するとともに、前記残金情報管理テーブルに格納された複数の識別情報のうちから一致する識別情報を抽出し、当該識別情報に関連付けられた残金情報を取得し、当該残金情報に基づいて精算金を払い出す精算制御手段と、
を備えることを特徴とする遊技媒体貸出システム。
【請求項３】
前記遊技媒体貸出装置は、前記第１識別情報処理手段により読み取った識別情報をキーとして前記管理装置に対して、前記残金情報の問い合わせをおこなうとともに、前記残金情報管理テーブルの中から前記識別情報に関連付けられた残金情報を取得し、当該取得された残金情報に基づいて前記遊技媒体の貸し出しをおこなうことを特徴とする請求項２に記載の遊技媒体貸出システム。
【請求項４】
前記管理装置は、前記識別媒体に記録した識別情報を登録識別情報として登録する識別情報登録機能をさらに備え、前記識別情報更新手段により更新される前記識別情報は、前記登録識別情報に基づいた識別情報として更新されることを特徴とする請求項２または３に記載の遊技媒体貸出システム。
【請求項５】
前記精算装置は、前記管理装置により新規に登録された前記登録識別情報と前記識別情報更新手段による更新後の識別情報との相違を判定する更新識別情報判定手段をさらに備えることを特徴とする請求項２、３または４に記載の遊技媒体貸出システム。
【請求項６】
前記精算装置は、前記更新識別情報判定手段により識別情報が相違すると判定された精算カードの固有番号リストを表示或いは印字データとして出力する出力手段をさらに備えることを特徴とする請求項５に記載の遊技媒体貸出システム。
【発明の詳細な説明】
【０００１】
【発明の属する技術分野】
本発明は、紙幣を受け入れて遊技媒体を貸し出す遊技媒体貸出装置と、精算カードを使用して遊技にともなう有価価値の管理をおこなう管理装置と、遊技媒体の貸出しにともなって減算する有価価値（残金）の精算をおこなう精算機とを備えた遊技媒体貸出システムに関し、特に、精算機に識別情報の登録機能および更新機能を備え、識別情報を随時変更可能とすることにより精算カードの再利用およびセキュリティの向上を図ることのできる遊技媒体貸出システムに関する。
【０００２】
【従来の技術】
従来より、スロット遊技やパチンコ遊技などの遊技を提供する遊技システムにおいて、遊技客は、スロットマシン（パチスロ台）やパチンコ台などの遊技機ごとに配設されたサンドと称されるメダル貸出機やパチンコ玉貸出機などの遊技媒体貸出機からメダルやパチンコ玉などの遊技媒体を借り受け、この遊技媒体を遊技機で使用することにより遊技をおこなっていた。これら遊技媒体を借り受け、遊技をおこなう遊技システムの場合、会員カードＭＣ、精算用のカードなどの各種識別媒体が使用されることが多い。
【０００３】
例えば、会員カードＭＣは、会員登録を行った遊技客（会員）に対して遊技店から発行されるものであり、この会員カードＭＣには予め個人を特定する固有識別情報（例えば、会員番号）が磁気データとして記録されている。また、このような会員カードＭＣの固有識別情報に関連付けて個人が所有する残金データや貯玉データなども磁気データにより記録されており、会員（遊技客）は、この記録された各種データを遊技媒体貸出装置などで利用することにより遊技をおこなうことができる。また、精算用として使用される精算カードの場合には、この精算カードの識別ＩＤに関連付けられた残金を精算機により精算することが可能である。
【０００４】
【発明が解決しようとする課題】
ところで、上述した従来の遊技媒体貸出システムの場合、以下のような問題がある。すなわち、識別媒体としての会員カードＭＣ、精算カードに記録されている識別ＩＤは、特に更新などをおこなわない固定された磁気データであるため、比較的容易にコピーカード（偽造カード）として複製することができるためセキュリティの面で問題がある。
【０００５】
ここで、コピーカードの使用に対抗すべく、精算機において精算処理が完了した段階で、精算カードの識別ＩＤを消去し、遊技媒体貸出装置において精算カードに新たな識別ＩＤを記録するなどの識別ＩＤを変更する方法も提案されている。ところが、この場合には、遊技媒体貸出装置に新しい識別ＩＤを書き込むための書き込み機構を備える必要があるため、コストが嵩む原因となり好ましくない。このため、コピーカードなどの不正行為に対するセキュリティの向上とともにコスト削減を図ることができる遊技媒体貸出システムの実現が望まれている。
【０００６】
この発明は、上述した従来技術による問題を解決するためになされたもので、精算カードを使用することにより、遊技機における遊技の継続、精算処理が可能となるうえ、この精算カードの再使用に関連したコピーカードなどの使用による不正行為の防止およびコスト削減を図ることができる遊技媒体貸出システムを提供することを目的とする。
【０００７】
【課題を解決するための手段】
本発明の請求項１に係る遊技媒体貸出システムは、有価媒体を受け入れて遊技媒体を貸し出す遊技媒体貸出装置と、当該遊技媒体貸出装置に対して使用される識別媒体と、当該識別媒体に対して予め付与された識別情報に関連付けて、前記有価価値の管理をおこなう管理装置と、前記識別媒体を受け入れるとともに、前記識別媒体に関連付けられる有価価値の精算をおこなう精算装置とを備えた遊技媒体貸出システムであって、前記管理装置は、前記識別媒体に記録された識別情報に関連付けて有価価値情報を記憶するとともに格納する有価価値情報管理テーブルと、前記識別媒体に印字された固有番号に関連付けて前記識別情報の登録管理情報を格納する識別媒体情報管理テーブルとを備え、前記精算装置は、外部から投入された前記識別媒体に記録された識別情報を読み取る読み取り手段および前記識別媒体に対して所定の識別情報を書き込む書き込み手段とを有する第２識別情報処理手段と、前記識別媒体から読み取った前記識別情報とは異なる識別情報に更新する識別情報更新手段と、前記識別媒体の受け入れ時に、当該識別媒体に記録された識別情報を前記管理装置に送信するとともに、前記有価価値情報管理テーブルに格納された複数の識別情報のうちから一致する識別情報を抽出し、当該識別媒体に関連付けられた有価価値情報を取得し、当該有価価値情報に基づいて精算金を払い出す精算制御手段とを備えることを特徴とする。
【０００８】
請求項２に係る遊技媒体貸出システムは、有価価値となる紙幣を受け入れて遊技媒体を貸し出す遊技媒体貸出装置と、当該遊技媒体貸出装置に対して使用される識別媒体と、当該識別媒体に対して予め付与された識別情報に関連付けて、前記有価価値の管理をおこなう管理装置と、前記識別媒体を受け入れるとともに、前記遊技媒体の貸出しにともなって生じる残金の精算をおこなう精算装置とを備えた遊技媒体貸出システムであって、前記遊技媒体貸出装置は、外部から投入された前記識別媒体の識別情報を読み取る第１識別情報処理手段と、高額紙幣を含む有価価値の異なる複数種類の紙幣を受け入れ可能な紙幣受け入れ手段と、前記複数種類の紙幣に価値付けされた有価価値を金額情報として種類別に記憶する金額情報記憶手段と、前記金額情報記憶手段に記憶された金額情報に基づいて、前記遊技媒体の貸出をおこなうとともに当該貸出しにともなって前記有価価値の減算をおこなう制御手段とを備え、前記管理装置は、前記識別媒体に記録された識別情報に関連付けて、遊技にともなって減算した前記有価価値の残金情報を記憶するとともに格納する残金情報管理テーブルと、前記識別媒体に印字された固有番号に関連付けて前記識別情報の登録管理情報を格納する識別媒体情報管理テーブルとを備え、前記精算装置は、外部から投入された前記識別媒体に記録された識別情報を読み取る読み取り手段および前記識別媒体に対して所定の識別情報を書き込む書き込み手段とを有する第２識別情報処理手段と、前記識別媒体から読み取った前記識別情報とは異なる識別情報に更新する識別情報更新手段と、前記識別媒体の受け入れ時に、当該識別媒体に記録された識別情報を前記管理装置に送信するとともに、前記残金情報管理テーブルに格納された複数の識別情報のうちから一致する識別情報を抽出し、当該識別情報に関連付けられた残金情報を取得し、当該残金情報に基づいて精算金を払い出す精算制御手段とを備えることを特徴とする。
【０００９】
請求項３に係る遊技媒体貸出システムは、請求項２に記載の発明において、前記遊技媒体貸出装置は、前記第１識別情報処理手段により読み取った識別情報をキーとして前記管理装置に対して、前記残金情報の問い合わせをおこなうとともに、前記残金情報管理テーブルの中から前記識別情報に関連付けられた残金情報を取得し、当該取得された残金情報に基づいて前記遊技媒体の貸し出しをおこなうことを特徴とする。
【００１０】
請求項４に係る遊技媒体貸出システムは、請求項２または３に記載の発明において、前記管理装置は、前記識別媒体に記録した識別情報を登録識別情報として登録する識別情報登録機能をさらに備え、前記識別情報更新手段により更新される前記識別情報は、前記登録識別情報に基づいた識別情報として更新されることを特徴とする。
【００１１】
請求項５に係る遊技媒体貸出システムは、請求項２、３または４に記載の発明において、前記精算装置は、前記管理装置により新規に登録された前記登録識別情報と前記識別情報更新手段による更新後の識別情報との相違を判定する更新識別情報判定手段をさらに備えることを特徴とする。
【００１２】
請求項６に係る遊技媒体貸出システムは、請求項５に記載の発明において、前記精算装置は、前記更新識別情報判定手段により識別情報が相違すると判定された精算カードの固有番号リストを表示或いは印字データとして出力する出力手段をさらに備えることを特徴とする。
【００１３】
【発明の実施の形態】
以下に添付図面を参照して、この発明に係る遊技媒体貸出システムの好適な実施の形態を詳細に説明する。なお、以下に示す実施の形態では、本発明の遊技媒体貸出システムをメダル（遊技媒体）を使用するパチスロ遊技に適用した場合を示すが、本発明はこれに限定されるものではなく、パチンコ機などにも適用可能である。
【００１４】
図１は、本発明の遊技媒体貸出システムの全体概要（イメージ）を説明する図である。先ず、この図１を参照して本発明の特徴について簡単に説明する。すなわち、図１に示すように本発明では、メダルを貸し出す遊技媒体貸出装置（以下、『メダル貸出機』と称する。）を、高額紙幣（１万円、５千円など）に対応可能とするとともに、メダル貸出機に対して、外部から提供（投入）される識別媒体に予め付与される識別ＩＤに関連付けて、遊技により減算した有価価値の金額情報（残額データ）を島コントローラ（管理装置）に記憶させる制御をおこなうとともに、精算機により精算をおこなう際には、識別ＩＤに関連付けて記憶されている残額データを島コントローラに問い合わせるとともに、識別ＩＤに対応した残金データを抽出し、この抽出により取得した残額データに基づいて、精算金の払い出しをおこなうものとしている。また、本発明では、精算機に識別ＩＤの登録機能および更新機能を備えることにより、精算カードの再利用（リサイクル化）およびコピーカードなどの不正行為に対するセキュリティを向上可能なシステムとしている。
【００１５】
また、遊技客が遊技中の遊技機（パチスロ機Ａ）を移動して他の遊技機（パチスロ機Ｂ）で遊技をおこなう際にも、移動した遊技機（パチスロ機Ｂ）に隣設されたメダル貸出機に識別媒体を挿入し、この識別媒体の識別ＩＤに関連付けられた残金情報を島コントローラから取得することにより、この取得した残金情報に基いてメダル貸出機からメダルを借り受け、遊技を継続しておこなうことができるようにしたものである。
【００１６】
以上のように、新たに使用される精算カードは、遊技店が発行する合成樹脂製のカード（ＪＩＳ２）であり、予め精算カードを識別するための識別ＩＤが磁気データとして記録されている。また、この精算カードの表面部には、精算カードを目視により判別するための固有番号がエンボスにより印字されている。この精算カードは、メダル貸出機の周辺付近などホールの所定場所に置いてある他、店員が所持するものとする。
【００１７】
また、この精算カードの使用方法としては、遊技の終了時（カード精算機１３による精算前）にメダル貸出機１２にセット（挿入）した後、精算ボタン８６（図８）を押下する操作手順となるが、遊技前に予めメダル貸出機１２に所有する精算カードを挿入していてもよい。なお、この精算カードによる残金の精算は、当日のみ有効となる。
【００１８】
以下、本実施の形態に係る遊技媒体貸出システムの詳細について説明する。図２は、本発明の実施の形態である遊技媒体貸出システムの全体概略構成を示すブロック図である。図２に示すように、遊技媒体貸出システムは、それぞれ「島」と呼ばれるグループごとに配設された複数のパチスロ機１１およびメダル貸出機１２と、各「島」ごとに配設された複数（図では、３個）の島コントローラ１〜３と、カード精算機１３〜１５とから構成されている。
【００１９】
パチスロ機１１は、メダルを使用して回転する絵柄を揃える操作により遊技をおこなう遊技機である。メダル貸出機１２は、このメダル貸出機１２に投入される紙幣の価値や精算カードなどに関連付けられた残金データ（残金額）を上限として遊技用のメダルの貸し出し処理をおこなう装置である。
【００２０】
メダル貸出機１２は、遊技ホールに設置された複数のパチスロ機１１それぞれに対して１台ずつペアとなるように用意され、パチスロ機１１の相互間に挟まれる形で設置してある。また、本実施の形態１においてメダル貸出機１２は、千円以外に１万円などの高額紙幣が利用可能となっている。カード精算機１３〜１５は、精算カードに関連付けられた残金データ、残度数を精算時に現金に換算して払い出す処理を主機能とするもので、遊技店のホール内に数台ずつ設置してある。
【００２１】
島コントローラ１〜３は、それぞれの「島」内のパチスロ機１１、メダル貸出機１２およびカード精算機１３〜１５に対する制御機能および管理機能を備えており、これら島コントローラ１〜３同士は、システム内に構築されたネットワークにより相互間で通信可能となっている。
【００２２】
島コントローラ１〜３には、それぞれ残金情報管理テーブル１７が接続されている。後述するように、この残金情報管理テーブル１７には、遊技にともない減算される残金データが、識別ＩＤに関連付けて記憶され、格納されている。
【００２３】
さらに、これら島コントローラ１〜３の管理は、島コントローラ１〜３の上位装置である島管理コントローラ２０により一括しておこなわれている。また、この島管理コントローラ２０には、島コントローラ情報管理テーブル２２、精算カード情報管理テーブル２５が接続されており、島コントローラ情報管理テーブル２２には、各島コントローラ１〜３に対応した残金情報管理テーブル１７内の情報が一括して格納され、精算カード情報管理テーブル２５には、新たに登録する精算カードについての情報が格納されている。
【００２４】
島管理コントローラ２０の機能を具体的に説明すると、例えば、ホール内で、３００枚の精算カードを使用する場合には、予め島管理コントローラ２０により、これら３００枚の精算カードに対して、それぞれ異なる識別ＩＤの付与（記録）および管理先を指定する島コントローラ１〜３の番号がそれぞれ登録されて割り付けられるものとなる。
【００２５】
図３は、島管理コントローラ２０により管理される精算カード情報管理テーブル２５を示している。すなわち、この精算カード情報管理テーブル２５は、ホール内で登録される精算カード情報が格納されており、複数の精算カードを個々として特定する精算カードの「固有番号」、精算カードの管理先を指定する島コントローラの「島番号」、「識別ＩＤ」、更新数字としての「キー（番号）」から構成される４個のフィールドにより管理されている。
【００２６】
前述したように、精算カードの「固有番号」はエンボスにより印字された固定の番号であり、この「固有番号」と「島番号」、「識別ＩＤ」、「キー」は、それぞれ対応付けられて精算カード情報管理テーブル２５に格納されている。このため、「島番号」、「識別ＩＤ」、「キー（番号）」からなる情報が、精算カードを特定する特定の識別ＩＤとなる。
【００２７】
そして、この精算カード情報管理テーブル２５に示すように、例えば、３００枚の精算カードを遊技店（ホール）で使用する場合、島コントローラ１により識別ＩＤ番号が「０００１〜０１００」の精算カード、島コントローラ２により識別ＩＤ番号が「０１０１〜０２００」の精算カード、島コントローラ３により識別ＩＤ番号が「０２０１〜０３００」の精算カードがそれぞれ割り当てられて登録されることとなる。また、後述するようにカード精算機１３〜１５による識別ＩＤの更新時には、精算カード情報管理テーブル２５により登録および管理された識別ＩＤが新識別ＩＤとして更新されるものとなる。
【００２８】
また、各島コントローラ１〜３に格納された残金情報テーブル１７内の情報（識別ＩＤおよび残金データ）は、その都度島管理コントローラ２０に送信されるようになっている。このため、島管理コントローラ２０は、各島コントローラ１〜３内に備えているデータベース（残金情報管理テーブル１７）の情報を記憶するバックアップ装置として機能する。
【００２９】
同様に、島管理コントローラ２０に接続されたカード精算機２１には、複数のカード精算機１３〜１５の精算データがその都度送信され格納されるため、このカード精算機２１もカード精算機１３〜１５の精算データを記憶するバックアップ装置として機能する。２３は、バックアップ装置として機能するカード精算機情報管理テーブルである。
【００３０】
以上のように、本発明における遊技媒体貸出システムの構成は、複数の精算カードのそれぞれが所有する識別ＩＤを複数の島コントローラで分散して管理する方法を採用している。この分散管理システムにより、通信の分散化にともなう通信速度の遅延防止およびレスポンスの向上を図ることができる。また、島コントローラ１〜３に備える記憶装置の小型化も実現することからコスト削減にも貢献することができる。
【００３１】
ここで、島コントローラ１〜３ではなくカード精算機１３〜１５自体に、精算カードの識別ＩＤおよび残金データを管理する管理機能をもたせてもよく、この場合は、遊技客の移動による遊技機の変更が少ないホールや遊技機の変更による遊技を禁止しているホールの場合には、通信効率の面で有効である。
【００３２】
また、本例では島管理コントローラ２０に精算カード情報管理テーブル２５を接続しているが、この精算カード情報管理テーブル２５は、各島コントローラ１〜３にそれぞれ接続し、島コントローラ１〜３単位で精算カードの登録を管理するようにしてもよい。
【００３３】
また、本発明では、図２に示す島管理コントローラ２０により一括して複数の島コントローラ１〜３の管理をおこなっているが、管理コンピュータとしては、図２の島管理コントローラ２０に限定されず上位装置としてのターミナルコンピュータなどを利用して、島コントローラ１〜３の全体管理をおこなってもよい。
【００３４】
次に、図２に示した管理装置として機能する島コントローラ１〜３の構成について説明する。図４は、島コントローラ１〜３の内部構成を示すブロック図である。島コントローラ１〜３のＲＡＭ４０は、残金情報管理テーブル１７などの各種情報を格納する部分である。残金情報管理テーブル１７は、メダル貸出機１２に投入される精算カードの識別ＩＤに関連付けられた残金データの情報を格納する機能を有している。
【００３５】
通信Ｉ／Ｆ部４５は、各島コントローラ１〜３間で相互に情報の送受信をおこなう機能を有するインターフェースである。また、この通信Ｉ／Ｆ部４５は、メダル貸出機１２の通信Ｉ／Ｆ部９２（図９）との間で精算カードの識別ＩＤおよび残金データの送受信およびカード精算機１３〜１５の通信Ｉ／Ｆ部１６０（図１２）との間で、同じく精算カードの識別ＩＤおよび残金データの送受信をそれぞれおこなうインターフェースとして機能する。
【００３６】
ＣＰＵ４１は、ＲＯＭ４２に格納されたプログラムに基づいて各種の処理を実行する機能を有する。例えば、メダル貸出機１２から残金情報に対する減算更新要求や加算更新要求があった場合にはＣＰＵ４１によって、その残金データが適宜更新されることになる。また、４３は、上述した各種の管理情報を表示するための表示部、４４は、店員などのオペレータが設定などをおこなう際に操作する入出力部である。
【００３７】
残金情報管理テーブル１７は、図５に示すように、精算カードの識別ＩＤおよび残金データに対応付けて残金、精算を完了した月日、時間（年／月／日／時間）などのデータをそれぞれ格納したものである。これら残金情報管理テーブル１７に格納されたそれぞれの残金データは、通信Ｉ／Ｆ部４５（図４）を通じて読み出し要求があった場合にはＣＰＵ４１によってその都度ＲＡＭ４０から読み出される。
【００３８】
次に、図２に示した島コントローラ１〜３のバックアップ装置として機能する島管理コントローラ２０の構成について説明する。図６は、島管理コントローラ２０の内部構成を示すブロック図である。島管理コントローラ２０のＲＡＭ５０は、島コントローラ情報管理テーブル２２などの各種情報を格納する部分である。この島コントローラ情報管理テーブル２２は、各島コントローラ１〜３に格納された残金情報管理テーブル１７内のデータを、各島コントローラ１〜３に対応付けて格納する機能を有している。
【００３９】
ＣＰＵ５１は、ＲＯＭ５２に格納されたプログラムに基づいて上述した各種の処理を実行する機能を有する。また、５３は、上述した各種管理情報を表示するための表示部、５４は、店員などのオペレータが設定などをおこなう際に操作する入出力部である。通信Ｉ／Ｆ部５５は、各島コントローラ１〜３の各通信Ｉ／Ｆ部４５（図４）との間で相互に管理情報の送受信をおこなうためのインターフェースである。
【００４０】
島コントローラ情報管理テーブル２２は、図７に示すように、精算カードの識別ＩＤに関連付けて残金、精算を完了した月日、時間（年／月／日／時間）などのデータをそれぞれ島コントローラ１〜３毎に格納したものである。これにより、島管理コントローラ２０は、島コントローラ情報管理テーブル２２により各島コントローラ１〜３が管理する「島」内のパチスロ機１１およびメダル貸出機１２の稼動状態を把握するとともに管理をおこなうことができる。
【００４１】
次に、図２に示したメダル貸出機の構成について説明する。図８は、本実施の形態で適用するメダル貸出機１２の外観を示した正面図、図９は、メダル貸出機１２の内部構成を示すブロック図である。以下、これら図８、９を参照して、パチスロ機１１およびメダル貸出機１２の詳細について説明する。なお、以下の説明では、説明の簡略のため図２に示した島コントローラ１〜３のうち島コントローラ１が管理するメダル貸出機１２、カード精算機１３をそれぞれ対象として説明する。
【００４２】
メダル貸出機１２は、縦長の直方体型に構成したもので、その前面パネル部に、上から紙幣投入口８１、カード挿入／排出口８２、高額紙幣ランプ８３、カード有りランプ８４、金額／枚数表示部８５、精算ボタン８６、メダル貸出ボタン８７がそれぞれ設けられている。紙幣投入口８１およびＢＶ（ビルバリ）ユニット部９４を有する部位は、外付けによりメダル貸出機１２に取り付けられている。また、メダル貸出機１２の下方部には、メダルホッパ内のメダルを投出するためのメダル投出ノズル８８が設けられている。
【００４３】
紙幣投入口８１は、現金（紙幣）を受け入れてこれをＢＶユニット部９４（図９）に取り込むための開口部である。この紙幣投入口８１には、千円札以外に、高額紙幣である１万円札、５千円札、２千円札の合計４種類の紙幣を投入することができる。
【００４４】
カード挿入／排出口８２は、精算カードを受け入れて、これを第１識別情報処理部９１に取り込むための開口である。このカード挿入／排出口８２には、前述したように本実施の形態１で使用する精算カード以外に会員カードＭＣ、クレジットカードなど各種の個人認証カードを挿入することができる。
【００４５】
高額紙幣ランプ８３は、１万円札などの高額紙幣の受け付け可能状態を遊技客に報知する機能を有している。カード有りランプ８４は、メダル貸出機１２内部に精算カード、会員カードＭＣなどのカードが投入された状態を遊技客に報知する機能を有している。
【００４６】
金額／枚数表示部８５は、紙幣投入口８１から投入された紙幣の金額（枚数）および遊技により減算する残金を５桁で表示する機能を有している。また、メダル貸出ボタン８７の押下により減算する金額も残金データとして金額／枚数表示部８５に表示される。
【００４７】
精算ボタン８６は、遊技客が遊技機の変更などにより遊技を一時的に終了する場合やカード精算機１３（図１０）による精算をおこなう場合に押下するためのボタンである。つまり、この精算ボタン８６の押下により精算カードをメダル貸出機１２内から取り出すことができる。
【００４８】
また、この精算ボタン８６の押下により精算カードの識別ＩＤに関連付けてメダルの貸し出しにより減算した残金データを記録として、島コントローラ１に対して送信することができる。後述するように、島コントローラ１に送信された残金データは、島コントローラ１内の残金情報管理テーブル１７（図５）に格納される。
【００４９】
メダル貸出ボタン８７は、パチスロ機１１により遊技をおこなう際にメダルを借り受けるためのボタンで、このメダル貸出ボタン８７の押下により、通常は千円で５０枚のメダルをメダル投出ノズル８８から投出させることができる。このメダル貸出ボタン８７によるメダルの投出は、ＢＶユニット部９４の貸出制御部９０に記憶される投入紙幣の金額情報に基づいておこなわれる。
【００５０】
メダル投出部８９は、貸出制御部９０から通知されるメダル投出要求の受信時にメダル（遊技媒体）を投出する機能を有している。具体的には、貸出制御部９０からメダル投出要求の通知を受信した時にメダルホッパ内のメダルをメダル投出ノズル８８を通じて投出する。
【００５１】
貸出制御部９０は、メダル貸出機１２の各処理部を一括して制御する全体コントロール機能を備えている。この貸出制御部９０は、メダル貸出ボタン８７の押下によるタイミングに基づいてメダル投出部８９に対してメダル投出要求を通知（送信）することができる。メモリ７５は、一時的に精算カードの識別ＩＤおよび残金データを記憶する記憶部である。
【００５２】
第１識別情報処理部９１は、カード挿入／排出口８２から挿入された精算カードの識別ＩＤを読み取る機能（リード）を有している。この第１識別情報処理部９１により読み取られた識別ＩＤは、貸出制御部９０に通知されるとともに、残金データは、貸出制御部９０から通信Ｉ／Ｆ部９２を通じて、島コントローラ１の通信Ｉ／Ｆ部４５（図４）を介して送信され残額情報管理テーブル１７内（図５）に格納される。
【００５３】
ＢＶユニット部９４は、紙幣投入口８１から投入される高額紙幣を含む複数（種類）の紙幣に対する金額情報の判定（識別）および金額情報を記憶する紙幣処理機能を備えている。また、このＢＶユニット部９４は、４種類の紙幣（１万円、５千円、２千円、千円）を受け入れて識別し、正常と判定される紙幣については、その金額情報を格納し、識別不能な紙幣については、紙幣投入口８１から返却する。ＢＶユニット部９４内に取り込まれた紙幣は紙幣搬送路９４ａを経由して島端回収ボックスに搬出される。ここで、本例では、紙幣回収用の紙幣搬送路９４ａを設けているが、直接店員によって紙幣を回収する構成としてもよい。
【００５４】
一方、遊技機であるパチスロ機１１は、回転するドラムにプリントされた絵柄が表示される遊技画面部９６、遊技をスタートさせるスタートボタン９７、絵柄を停止させる複数（通常、３個）の操作ボタン９８、遊技により獲得したメダルが投出されるメダル受け部９９とを有している。ここで、パチスロ機１１がＣＲ機の場合は、メダル貸出機１２で購入したメダルは、メダル貸出機１２のメダル投出ノズル８８からではなくパチスロ機１１の内部を経由してメダル受け部９９に投出される。
【００５５】
次に、図２に示したカード精算機１３の構成について説明する。図１０は、カード精算機１３の正面図を、図１１は、カード精算機１３に内蔵されている各構成部品の配置を示す斜視図を、図１２は、カード精算機１３の構成を示すブロック図をそれぞれ示している。また、図１３は本実施の形態の特徴部分である第２識別情報処理部１４０の内部ブロックの詳細を示す図である。後述するように、この第２識別情報処理部１４０は、新規の識別ＩＤを登録する登録処理機能および新たに識別ＩＤを書き換えて更新する更新機能とを備えている。
【００５６】
すなわち、カード精算機１３は、箱型の精算機本体を有しており、その前面には片開き状の扉体１００が開閉可能に備えられおり、この扉体１００は、錠機構１０５によって施錠可能となっている。また、扉体１００の前面には、精算カードを挿入するためのカード挿入／投出口１１０、カードの精算金額等を表示するための表示部１２０、精算金額に応じた紙幣を払い出すための紙幣払出口１３０が備えられている。カード挿入／投出口１１０は、遊技客から精算カードを受け入れて、この精算カードを第２識別情報処理部１４０（図１１）に取り込むための開口部である。
【００５７】
表示部１２０は、カード精算機１３により算定された精算金額などの精算明細データを表示する液晶表示部（ＬＣＤ）である。紙幣投出口１３０は、精算をおこなう遊技客に対して紙幣を払い出すための開口部である。
【００５８】
また、図１１、１２に示すように、カード精算機１３の内部には、第２識別情報処理部１４０、ハンディ端末機１４５、紙幣処理部１７０、精算制御基板１７５、ジャーナルプリンタ１８５、精算カード回収部１８８、電源部１９０とを備えている。
【００５９】
第２識別情報処理部１４０は、カード挿入／投出口１１０から挿入された精算カードの識別ＩＤを読み取る機能（リード）および所定のデータを書き込む、書き込み機能（ライト）とを有している。ここで、第２識別情報処理部１４０は本発明の特徴部分であるため、この第２識別情報処理部１４０の詳細について図１３を参照して説明する。
【００６０】
すなわち、第２識別情報処理部１４０は、精算カードの磁気データを読み取る機能を有する読み取り部１４１、情報を書き込む機能を有する書き込み部１４２、識別ＩＤ更新部１４３、更新識別ＩＤ判定部１４４とを有している。
【００６１】
読み取り部１４１により読み取られた識別ＩＤは、精算制御部１７５に通知されるとともに、この識別ＩＤは、通信Ｉ／Ｆ部１６０を介して、島コントローラ１に送信される。具体的には、精算制御部１７５によって、精算カードの識別ＩＤを通信Ｉ／Ｆ部１６０を介して島コントローラ１の通信Ｉ／Ｆ部４５に送信して精算用データを要求し、この要求に応じて島コントローラ１は、残金情報管理テーブル１７の中から識別ＩＤに対応する残金データを抽出し、抽出した残金データを精算用データとして返信する。カード精算機１３は、島コントローラ１から送信された残金データを精算データとして受信し、このデータに基づいて精算金の払い出しをおこなう。
【００６２】
識別ＩＤ更新部１４３は、精算後の精算カードに記録されている識別ＩＤを更新することにより新規の精算カードとして再利用する機能を有している。具体的には、カード挿入／投出口１１０から精算後の精算カードを受け入れて、記録されている識別ＩＤの磁気データを書き込み部１４２により書き換えることにより更新をおこなう。
【００６３】
更新識別ＩＤ判定部１４４は、島コントローラ１により割り当てられた登録用の識別ＩＤと第２識別情報処理部１４０の識別ＩＤ更新部１４３により更新された識別ＩＤとを比較して、識別ＩＤの書き込みによる更新処理が正常におこなわれたかを判定する機能を有している。この更新識別ＩＤ判定部１４４には、識別ＩＤ更新判定テーブル１５０が接続されている。この識別ＩＤ更新判定テーブル１５０には、精算カードが有する「固有番号」に対応した「島番号」、「登録識別ＩＤ」および識別ＩＤ更新部１４３により更新された「更新識別ＩＤ」がそれぞれ格納されている（図２２）。
【００６４】
図１２に戻り、紙幣処理部１７０は、精算をおこなう遊技客に対して紙幣収納部１８０内に収納した紙幣を投出する処理部である。具体的には、精算制御部１７５からの制御指示に応じた精算金額の紙幣を紙幣収納部１８０から払い出す機能を有する。
【００６５】
ジャーナルプリンタ１８５は、カード精算機１３による精算履歴、集計データ、エラー状態などを印字により出力するプリンタである。本実施の形態では、このジャーナルプリンタ１８５により識別ＩＤの更新処理に失敗した精算カードを異常精算カードリストとしてプリントすることができる。ハンディ端末機１４５は、リセットキー、テンキー、印字キーなどの各種キーが設けられた端末機で、店員などが操作することによりカード精算機１３の各種事項を簡易に設定する機能を有している。
【００６６】
メモリ１６５は、島コントローラ１から取得した精算用の残金データを精算に際して一時的に記憶するとともに、精算制御部１７５内の各部の処理を実現するにあたって必要なプログラムおよびデータを記憶した記憶部である。例えば、島コントローラ１から取得した残金情報管理テーブル１７内の残金データを一時的に記憶することができる。
【００６７】
精算カード回収部１８８は、精算処理後の精算カードが回収される回収部である。この精算カード回収部１８８には、識別ＩＤの更新処理に失敗した精算カードも正常な精算カードと一緒に回収される。電源部１９０は、カード精算機１３を構成する各部を駆動するための電源供給用として使用される。
【００６８】
図１４は、本発明の遊技媒体貸出システムの全体制御構成を説明するフローチャートである。すなわち、本発明の遊技媒体貸出システムは、（１）識別ＩＤ登録処理（ステップＳ４００）、（２）残金データ登録／更新処理（ステップＳ４１０）、（３）精算カード精算処理（ステップＳ４２０）、（４）識別ＩＤ更新処理（ステップＳ４３０）、（５）更新識別ＩＤ判定処理（ステップＳ４４０）の５つの処理工程により構成されている。先ず、これら（１）〜（５）の各処理工程について簡単に説明する。
【００６９】
（１）識別ＩＤ登録処理は、新規に登録する精算カードに対して、新しい識別ＩＤを磁気データとして書き込みにより記録する処理である。この新規の精算カードに対する識別ＩＤの登録は、カード精算機１３のカード挿入／投出口１１０（図１２）に登録用の精算カードを挿入し、第２識別情報処理部１４０による書き込み機能を利用することより、新しい識別ＩＤの書き込み処理をおこなうことができる。
【００７０】
（２）残金データ登録／更新処理は、精算カードに予め記録されている識別ＩＤに関連付けて、遊技により減算した有価価値の金額情報（残額データ）を島コントローラ１に送信し、この島コントローラ１内（残金情報管理テーブル１７）に格納されている残金データの登録および更新をおこなう処理である。
【００７１】
（３）精算カード精算処理は、精算カードの識別ＩＤに関連付けて記憶されている残額データを島コントローラ１に問い合わせるとともに、識別ＩＤに対応した残金データを抽出し、この抽出により取得した残額データに基づいて、カード精算機１３から精算金の払い出しをおこなう処理である。
【００７２】
（４）識別ＩＤ更新処理は、精算後の精算カードに記録されている識別ＩＤを更新することにより新規の精算カードとして再利用する処理である。具体的には、第２識別情報処理部１４０の識別ＩＤ更新部１４３（図１３）により、記録されている識別ＩＤの磁気データを書き換えることにより更新をおこなうことができる。
【００７３】
（５）更新識別ＩＤ判定処理は、島コントローラ１により割り当てられた登録識別ＩＤと第２識別情報処理部１４０の識別ＩＤ更新部１４３により更新された識別ＩＤとを比較して、識別ＩＤの書き込み（更新処理）が正常におこなわれたかを判定する処理である。以下、図１５〜図２１のフローチャートを参照して、本発明の遊技媒体貸出システムにおける処理手順の詳細について説明する。
【００７４】
（識別ＩＤ登録処理）
図１５は、精算カードを新規のカードとして登録する処理手順のフローチャートを示している。この新規登録による識別ＩＤ登録処理は、カード精算機１３による登録機能により実行することができる。すなわち、先ず、島コントローラ１から登録用の登録識別ＩＤが取得されたか否かを判定し（ステップＳ５１０）、登録用識別ＩＤが取得された場合には、登録用（新規）の精算カードをカード精算機１３のカード挿入／投出口１１０に挿入する（ステップＳ５２０）。前述したように、この登録用の識別ＩＤは、予め島コントローラ毎に割り当てられた識別ＩＤである。また、この識別ＩＤは、精算カードの固有番号（エンボス印字）と関連付けられて付与された識別ＩＤである。
【００７５】
次いで、精算カードの磁気ストライプ部に対して、取得した登録識別ＩＤの書き込みをおこない（ステップＳ５３０）、精算カードに書き込んだ新識別ＩＤを島コントローラ１に送信する（ステップＳ５４０）。前述したように磁気データの書き込みは、第２識別情報処理部１４０の書き込み部１４１（図１３）によりおこなう。
【００７６】
以上のステップＳ５１０〜ステップＳ５４０による手順により、新規のカードに対して識別ＩＤを記録し、登録することにより、メダル貸出機１２による貸し出し用およびカード精算機１３による精算用の精算カードとして使用することが可能となる。カード精算機１３に挿入されて識別ＩＤの登録処理がおこなわれた精算カードは、カード精算機１３から取り出され、係員によって所定位置の位置にセットされる。
【００７７】
（残金データ登録／更新処理）
図１６は、本発明の遊技媒体貸出システムの全体制御を説明するフローチャートである。以下、図１６のフローチャートを参照して、本実施の形態における残金データ登録／更新処理手順の詳細について説明する。
【００７８】
すなわち、先ず、メダル貸出機１２の待機状態において、紙幣投入口８１（図８）に現金が投入されたか否かを判定し（ステップＳ６００）、現金の投入時には（ステップＳ６００肯定）、投入された現金が高額紙幣（１万円、５千円、２千円）であるか否かの判定をおこなう（ステップＳ６０１）。メダル貸出機１２の待機状態時、金額情報が「０」の時には、精算カードの有無に拘らず千円および高額紙幣（１万円、５千円、２千円）の入金が可能となっている。
【００７９】
ここで、高額紙幣を識別する判定は、紙幣処理部であるＢＶユニット部９４（図９）でおこない、このＢＶユニット部９４で識別された紙幣の金額情報は、記憶されるとともに金額／枚数表示部８５（図８）に表示される（千円投入時の表示は、「１０００」）。また、ＢＶユニット部９４内に格納された金額情報は、メダルの貸し出しにともなってその金額情報が減算されるとともに、後述する精算ボタン８６の押下時には、識別ＩＤを含めて減算更新された金額情報を残金情報として島コントローラ１に送信されるものとなる。
【００８０】
そして、このステップＳ６０１の判定により現金が高額紙幣でない（千円紙幣）と判定された場合（ステップＳ６０１否定）、メダル投出ノズル８８から千円分のメダルの投出をおこなう（ステップＳ６０２）。金額／枚数表示部８５の表示は、「０」に戻る。これにより、遊技客は、購入した千円分のメダル（５０枚）を使用してパチスロ機１１による遊技をおこなうものとなる。
【００８１】
以下、遊技にともなうメダルの減少に応じて、ステップＳ６０３により遊技の続行が有るか否かの判定をおこない、遊技の続行時には（ステップＳ６０３肯定）、再度ステップＳ６００に戻り、前記と同様に現金の投入にともなう処理をおこなう。
【００８２】
一方、ステップＳ６０１の判定により、現金が高額紙幣（１万円、５千円、２千円）であると判定された場合には（ステップＳ６０１肯定）、千円分のメダルの投出がおこなわれる（ステップＳ６０４）。また、金額／枚数表示部８５には、千円分の投出により減算した残金データを示す表示がおこなわれる（ステップＳ６０５）。具体的には、投入された高額紙幣が１万円であった場合、金額／枚数表示部８５には残金である９０００円が表示される。
【００８３】
以下、メダルの貸し出しにともなって減算される残金データに対して、残金が有る場合にはメダル貸出ボタン８７の押下により遊技の続行が可能となるため、ステップＳ６０６によりメダル貸出ボタン８７の押下があるか否かを判定し（ステップＳ６０６）、メダル貸出ボタン８７の押下があると判定された場合には（ステップＳ６０６肯定）、千円分のメダルを投出する（ステップＳ６０７）。
【００８４】
以下、メダルの投出により残金が減算されるため、残金が有るか否かの判定をおこない（ステップＳ６０８）、残金がない場合には（ステップＳ６０８否定）、ステップＳ６０９により遊技の続行が有るか否かの判定をおこなう。
【００８５】
また、ステップＳ６０８の判定により残金が有ると判定された場合には（ステップＳ６０８肯定）、ステップＳ６０５に戻り、金額／枚数表示部８５による残金データの表示（ステップＳ６０５）とともに、ステップＳ６０６におけるメダル貸出ボタン８７による押下が有るかの判定処理を再度おこなう。以下、ステップＳ６０９の判定に戻り、遊技の続行時には（ステップＳ６０９肯定）、再度ステップＳ６００からの現金の投入にともなう処理をおこなう。一方、遊技の続行がない場合には（ステップＳ６０９否定）、そのまま処理を終了とする（エンド）。
【００８６】
一方、ステップＳ６０６の判定によりメダル貸出ボタン８７の押下がないと判定された場合には（ステップＳ６０６否定）、次いで、精算ボタン８６の押下が有るか否かの判定をおこない（ステップＳ６１０）、精算ボタン８６の押下が有ると判定された場合には（ステップＳ６１０肯定）、精算カードがメダル貸出機１２内に有るか否かの判定をおこなう（ステップＳ６１１）。
【００８７】
そして、この判定により精算カードが有る場合には（ステップＳ６１１肯定）、島コントローラ１に対して識別ＩＤおよび残金データの送信をおこなう（ステップＳ６１２）。ここで、精算カードが貸出機１２内に有るときは、カード有りランプ８４（図８）が点灯する。以下、精算カードの排出がおこなわれるものとなる（ステップＳ６１３）。この精算カードは、前述したようにカード精算機１３による精算処理用のカードとして使用することができる。
【００８８】
ここで、前述したように精算処理には識別ＩＤおよび残金データを記録するための精算カードの挿入が必要なため、ステップＳ６１１の判定により、精算カードがないと判定された場合には（ステップＳ６１１否定）、次いで、精算カードの挿入をおこない（ステップＳ６１４）、再度メダル貸出ボタン８７押下の判定によるステップＳ６０７からのルーチンをおこなう。
【００８９】
図１７は、遊技客が遊技機を移動し、他の遊技機により再度遊技をおこなう場合の処理手順を示すフローチャートである。本発明の場合、遊技客が遊技中の遊技機を移動して他の遊技機で遊技をおこなう際にも、移動した遊技機に隣設されたメダル貸出機１２に精算カードを挿入し、この精算カードの識別ＩＤに関連付けられた残金データを島コントローラ１から取得することにより、この取得した残金情報に基いてメダル貸出機１２からメダルを借り受け、遊技を継続しておこなうことができる。
【００９０】
すなわち、先ず、精算カードの挿入があるか否かの判定をおこない（ステップＳ７００）、精算カードの挿入時には（ステップＳ７００肯定）、この精算カードの識別ＩＤを第１識別情報処理部９１により読み取るとともに、島コントローラ１に対して精算カードの識別ＩＤの送信をおこなう（ステップＳ７０１）。
【００９１】
次いで、残金データの取得が有るか否かの判定をおこない（ステップＳ７０２）、残金データの取得が有る場合には（ステップＳ７０２肯定）、金額／枚数表示部８５に取得した残金データを表示し（ステップＳ７０３）、千円分のメダルを投出する（ステップＳ７０４）。また、ステップＳ７０２の処理による残金データの取得は、島コントローラ１内の残金情報管理テーブル１７から、使用する精算カードの識別ＩＤに対応する残金データを抽出することによりおこなう。
【００９２】
一方、ステップＳ７０２の判定により残金データの取得がない場合には（ステップＳ７０２否定）、精算カードを排出した後（ステップＳ７１２）、処理が終了となる（エンド）。　以下、ステップＳ７０４によるメダルの投出により残金が減算されるため、次のステップＳ７０５により残金が有るか否かの判定をおこない、残金が有る場合には（ステップＳ７０５肯定）、再度金額／枚数表示部８５に残金データが表示される（ステップＳ７０６）。
【００９３】
つまり、メダルの貸し出しにともなって減算される残金データに対して、残金が有る場合にはメダル貸出ボタン８７の押下（メダル貸出）により遊技の続行が可能となるため、次いで、ステップＳ７０７によりメダル貸出ボタン８７の押下があるか否かを判定し（ステップＳ７０７）、メダル貸出ボタン８７の押下があると判定された場合には（ステップＳ７０７肯定）、千円分のメダルの投出をおこなう（ステップＳ７０８）。
【００９４】
そして、メダルの投出後、前記と同様ステップＳ７０９により残金が有るか否かの判定をおこない、残金が有る場合には（ステップＳ７０９肯定）、再度ステップＳ７０６に戻り、残金データを表示した後に、前記と同様にメダル貸出ボタン８７の押下に基づく処理をおこなう。一方、ステップＳ７０９の判定により残金がないと判定された場合には（ステップＳ７０９否定）、精算カードを排出した後（ステップＳ７１２）、処理が終了となる（エンド）。
【００９５】
一方、ステップＳ７０７の判定によりメダル貸出ボタン８７の押下がないと判定された場合には（ステップＳ７０７否定）、次いで、精算ボタン８６の押下が有るか否かの判定をおこない（ステップＳ７１０）、精算ボタン８６の押下が有ると判定された場合には（ステップＳ７１０肯定）、島コントローラ１に対して識別ＩＤおよび残金データの送信をおこなう（ステップＳ７１１）。以下、精算カードの排出がおこなわれるものとなる（ステップＳ７１２）。この精算カードは、前述したようにカード精算機１３で使用する精算処理用のカードとして使用することができる。
【００９６】
図１８は、メダル貸出機１２と島コントローラ１との間で実施される処理手順の内容を示すフローチャートである。すなわち、図１８に示すように、先ず、メダル貸出機１２において、遊技客により精算ボタン８６が押下されたか否かを判定し（ステップＳ８００）、精算ボタン８６が押下された場合には（ステップＳ８００肯定）、島コントローラ１に対して精算カードの識別ＩＤおよび残金情報の送信をおこなう（ステップＳ８０１）。この残金情報は、遊技客による遊技にともなって減算された残金データである。
【００９７】
一方、島コントローラ１は、メダル貸出機１２から送信された精算カードの識別ＩＤおよび残金データを受信し（ステップＳ８０２）、この受信した識別ＩＤおよび残金情報を残金情報管理テーブル１７に登録（格納）する（ステップＳ８０３）。ここで、残金情報管理テーブル１７内に、該当する識別ＩＤがすでにある場合には、一致する識別ＩＤに対応する残金データを更新し、この残金データを登録および更新した旨をメダル貸出機１２に対して返信する（登録／更新完了情報の通知）。
【００９８】
ここで、前述したように、精算ボタン８６は、精算カードの排出と島コントローラ１へ識別ＩＤおよび残金情報を送信する機能を有しているため、精算ボタン８６の押下がおこなわれた際には、カード挿入／投出口１１０から精算カードの排出がおこなわれる（ステップＳ８０４）。後述するように、この精算カードの排出により、遊技客は、カード精算機１３を利用して精算カードに残存している残金の精算をおこなうことができる。
【００９９】
次いで、以下のステップＳ８０５の処理は、遊技客が遊技機を変更し、他の遊技機により再度遊技を継続する際の処理であり、この場合、先ず、精算カードが挿入されたか否かの判定がおこなわれる（ステップＳ８０５）。この判定により、精算カードが挿入されたと判定された場合には（ステップＳ８０５肯定）、島コントローラ１に対して使用する精算カードの識別ＩＤを問い合わせるための送信がおこなわれる（ステップＳ８０６）。
【０１００】
以下、島コントローラ１側では、識別ＩＤの受信がおこなわれ（ステップＳ８０７）、次いで、島コントローラ１内の残金情報管理テーブル１７を参照して識別ＩＤの照会作業がおこなわれる（ステップＳ８０８）。そして、ステップＳ８０８の照会作業により一致する識別ＩＤに対応する残金データの抽出をおこなうとともに（ステップＳ８０９）、メダル貸出機１２に対して抽出した残金データの送信をおこなう（ステップＳ８１０）。ここで、島コントローラ１は、待機状態となる。
【０１０１】
メダル貸出機１２側では、島コントローラ１から送信された残金データを受信し（ステップＳ８１１）、その金額を金額／枚数表示部８５に表示する（ステップＳ８１２）。以下、遊技の継続とともに、ステップＳ８００に戻り、精算ボタン８６の押下にともなう処理手順を繰り返すものとなる。一方、ステップＳ８０５の判定により精算カードが挿入されないと判定された場合には（ステップＳ８０５否定）、カード精算機１３による精算処理へと移行する（ステップＳ８１３）。
【０１０２】
（精算カード精算処理）
図１９は、カード精算機１３と島コントローラ１との間で実施される処理手順の内容を示すフローチャートである。以下、この図１９を参照してカード精算機１３による精算カードの精算処理手順を説明する。すなわち、図１９に示すように、先ず、カード精算機１３において、遊技客による精算カードの挿入があるか否かの判定がおこなわれ（ステップＳ９００）、精算カードが挿入された場合には（ステップＳ９００肯定）、この精算カードの識別ＩＤを第２識別情報処理部１４０（図１２）により読み取るとともに、この読み取った識別ＩＤの問い合わせ（送信）を島コントローラ１に対しておこなう（ステップＳ９０１）。カード精算機１３は、識別ＩＤの送信後、島コントローラ１からの回答を待つ受信待機状態となる。
【０１０３】
島コントローラ１側では、カード精算機１３から送信された識別ＩＤの受信とともに、島コントローラ１内の残金情報管理テーブル１７（図５）を参照して識別ＩＤの照会作業をおこない（ステップＳ９０２）、受信した識別ＩＤと一致した識別ＩＤに対応する残金データの抽出をおこなう（ステップＳ９０３）。次いで、カード精算機１３に対して抽出した残金データの返送をおこなう（ステップＳ９０４）。
【０１０４】
カード精算機１３側では、島コントローラ１から送信された残金データを受信し（ステップＳ９０５）、その受信した残金データに基づいて残金があるか否かの判定をする（ステップＳ９０６）。そして、残金が有る場合には（ステップＳ９０６肯定）、その金額を表示部１２０に表示し（ステップＳ９０７）、表示した残金を精算金として払い出す（ステップＳ９０８）。
【０１０５】
この精算処理後は、終了情報の送信とともに、残金情報管理テーブル１７内のデータに対しての更新処理がおこなわれ（ステップＳ９０９）、精算後の精算カードは、カード精算機１３内に取り込まれる（ステップＳ９１０）。次いで、精算後の精算カードに記録されている識別ＩＤを更新する処理である識別ＩＤ更新処理（ステップＳ９１１）、識別ＩＤの書き込み（更新処理）が正常におこなわれたかを判定する処理である更新識別ＩＤ判定処理（ステップＳ９１２）が順次おこなわれ、全ての処理が終了する（エンド）。これら識別ＩＤ更新処理、更新識別ＩＤ判定処理についての詳細は、後述する。
【０１０６】
一方、ステップＳ９０６による判定により残金がないと判定された場合には（ステップＳ９０６否定）、カード挿入／投出口１１０から精算カードの返却がおこなわれる（ステップＳ９１３）。また、挿入された精算カードに該当する識別ＩＤが島コントローラ１に問い合わせてもない場合には、同様にステップＳ９０６の処理により、「精算カードの異常」としてカード挿入／投出口１１０から返却される。
【０１０７】
（識別ＩＤ更新処理）
図２０は、カード精算機１３により実行される識別ＩＤの更新処理手順を示すフローチャートである。前述したように、識別ＩＤ更新処理は、島コントローラ１によって割り当てられた登録識別ＩＤとなるように精算済の精算カードに記録されている識別ＩＤを書き換えて更新する処理である。すなわち、先ず、カード精算機１３により精算処理がなされた精算カードで有るか否かを判定し（ステップＳ９２０）、精算済の精算カードで有る場合には（ステップＳ９２０肯定）、島コントローラ１から新たに登録用の登録識別ＩＤを取得する（ステップＳ９２１）。前述したように、この登録識別ＩＤは、予め島コントローラ１毎に割り当てられた識別ＩＤである。また、この識別ＩＤは、精算カードの固有番号と関連付けられた識別ＩＤである。
【０１０８】
次いで、精算カードの磁気ストライプ部に対して、取得した更新用の識別ＩＤの書き込みをおこなう（ステップＳ９２２）。この磁気データの書き込みによる更新処理は、第２識別情報処理部１４０の識別ＩＤ更新部１４３（図１３）によりおこなう。以上、ステップＳ９２０〜ステップＳ９２２の処理により識別ＩＤ更新処理を終了することができる。以下、この識別ＩＤ更新処理の後は、更新識別ＩＤ判定処理へと移行する（図２１）。
【０１０９】
（更新識別ＩＤ判定処理）
図２１は、カード精算機１３により実行される更新識別ＩＤ判定処理による処理手順を示すフローチャートである。前述したように、更新識別ＩＤ判定処理は、前述した識別ＩＤ更新処理（図２０）により更新された新識別ＩＤが島コントローラ１によって割り当てられた登録識別ＩＤと同一であるかを比較し、その比較結果に基づいて識別ＩＤ更新部１４３による書き込みが正常におこなわれたかを判定する処理である。
【０１１０】
すなわち、先ず、更新済の精算カードに書き込まれた識別ＩＤの読み取りをおこなう（ステップＳ９３０）。次いで、このステップＳ９３０により読み取られた新識別ＩＤと登録識別ＩＤとが同一であるか否かの判定をおこなう（ステップＳ９３１）。ここで、この新識別ＩＤと登録識別ＩＤとの判定の詳細について図２２を参照して説明する。
【０１１１】
図２２は、識別ＩＤ更新判定テーブル１５０を示している。この図２２に示すように、識別ＩＤ更新判定テーブル１５０には、精算カードが有する「固有番号」に対応した「島番号」、「登録識別ＩＤ」および識別ＩＤ更新処理により更新された「更新識別ＩＤ」がそれぞれ格納されている。そして、この図２２の例では、登録識別ＩＤ「０１−０５５５」、「０２−０５５７」に対して更新された更新識別ＩＤが「０１−０５４５」、「０２−０５５４」となっており、書き込まれた識別ＩＤが異なるため異常な書き込みがおこなわれたとして精算カードの固有番号が「５２４４４」および「６２４４６」は、異常であると判定することができる。
【０１１２】
図２１に戻り、ステップＳ９３１の判定により登録識別ＩＤと更新識別ＩＤが同一である場合には（ステップＳ９３１肯定）、その精算カードは書き込みが正常におこなわれた正常な精算カードと認定する（ステップＳ９３２）。この正常と認定された精算カードは、そのまま精算カード回収部１８８（図１１）に回収され（ステップＳ９３３）、処理が終了となる（エンド）。以上のステップＳ９３０〜ステップＳ９３３による処理手順により、精算済の精算カードの識別ＩＤを書き換えて更新することにより、新たな精算カードとして再使用することが可能となる。また、前述したように精算カード回収部１８８に回収された精算カードは、遊技店の閉店後などに店員により取り出されてホールの所定の場所（メダル貸出機１３の周辺）に配置されたり、店員が所持するものとなる。
【０１１３】
一方、ステップＳ９３１の判定により登録識別ＩＤと更新識別ＩＤとが一致していないと判定された場合には（ステップＳ９３１否定）、その精算カードは書き込み異常がある異常精算カードと認定し（ステップＳ９３４）、この書き込み異常と判定された精算カードの固有番号（識別ＩＤ）は、精算制御部１７５の記憶部に記録（記憶）されるとともに、通信Ｉ／Ｆ部１６０を介して島コントローラにエラー情報として送信される（ステップＳ９３５）。送信先の島コントローラは、異常精算カードの固有番号が割り当てられている島コントローラである。
【０１１４】
この時、該当する島コントローラに送信された精算カードの固有番号（識別ＩＤ）は、消去されるものとなる。以下、この識別ＩＤの更新処理に失敗した異常精算カードも正常な精算カードと一緒に精算カード回収部１８８に収納される（ステップＳ９３３）。
【０１１５】
なお、精算カード回収部１８８に回収された精算カードを店員が取り出す際には、あわせて、店員操作によってジャーナルプリンタ１８５（図１１）から異常精算カードリスト（図２３）がプリンアウトされる。このリストには、異常となった精算カードの枚数、その精算カードを示す固有番号（本例では、「５２４４４」、「６２４４６」）、取引時刻などが記載されている。実際には、ホールの係員が異常精算カードリストに印字されている固有番号を参照しながら精算カード回収部１８８の中から該当する異常精算カードを選別し、破棄するものとなる。
【０１１６】
以上説明したように本実施の形態によれば、メダル貸出機を、１万円などの高額紙幣に対応可能とするとともに、カード精算機が識別ＩＤの登録機能および更新機能を備えているので、コピーカードなどの使用による不正行為を防止することができる。これにより、精算カードの識別ＩＤに対するセキュリティ保護を向上可能な遊技媒体貸出システムを実現することができる。
【０１１７】
更に、精算カードを使用するシステムにより精算カードに予め識別ＩＤを記録し、この識別ＩＤに関連付けて、遊技にともなう残金情報を島コントローラに格納し、遊技機の移動をおこなう際には、次の遊技機での遊技時に新たに読み取った識別情報をキーとして島コントローラに問い合わせをおこなうとともに、残金情報管理テーブルの中から識別ＩＤに関連付けられた残金情報を取得し、この取得された残金情報に基づいて遊技の継続が可能となるので、高額紙幣の両替および釣り銭を利用して紙幣をその都度貸出機に投入する手間をなくすことができる。また、遊技店においても開店前にたくさんの釣り銭（千円）を準備したり、釣り銭の不足時に店員による補充の手間がないうえ、釣り銭を格納する紙幣収納機構などを不要とすることができる。
【０１１８】
さらに、異常と判定された異常精算カードは、異常精算カードリストに基づいて、正常な精算カードと選別して破棄することができるため、この識別ＩＤの更新処理に失敗した異常精算カードも正常な精算カードと一緒に精算カード回収部１８８に回収することができる。これによって、正常な精算カードと異常精算カードとを分けて回収する回収部および選別するための機構を必要としないためコスト削減を図ることができる。
【０１１９】
【発明の効果】
以上説明したように、請求項１に係る発明によれば、有価媒体を受け入れて遊技媒体を貸し出す遊技媒体貸出装置と、当該遊技媒体貸出装置に対して使用される識別媒体と、当該識別媒体に対して予め付与された識別情報に関連付けて、前記有価価値の管理をおこなう管理装置と、前記識別媒体を受け入れるとともに、前記識別媒体に関連付けられる有価価値の精算をおこなう精算装置とを備えた遊技媒体貸出システムであって、前記管理装置は、前記識別媒体に記録された識別情報に関連付けて有価価値情報を記憶するとともに格納する有価価値情報管理テーブルと、前記識別媒体に印字された固有番号に関連付けて前記識別情報の登録管理情報を格納する識別媒体情報管理テーブルとを備え、前記精算装置は、外部から投入された前記識別媒体に記録された識別情報を読み取る読み取り手段および前記識別媒体に対して所定の識別情報を書き込む書き込み手段とを有する第２識別情報処理手段と、前記識別媒体から読み取った前記識別情報とは異なる識別情報に更新する識別情報更新手段と、前記識別媒体の受け入れ時に、当該識別媒体に記録された識別情報を前記管理装置に送信するとともに、前記有価価値情報管理テーブルに格納された複数の識別情報のうちから一致する識別情報を抽出し、当該識別媒体に関連付けられた有価価値情報を取得し、当該有価価値情報に基づいて精算金を払い出す精算制御手段とを備えるので、有価価値が関連付けられたカードを精算する際には、このカードの識別情報を識別情報更新手段により更新できることからコピーカードの使用などによる不正行為を確実に防止することができるという効果を奏する。また、識別媒体である精算カードの使用により両替の手間、釣り銭を格納する紙幣収納機構が不要となることから製品コストの削減を図ることができるという効果を奏する。
【０１２０】
請求項２に係る発明によれば、有価価値となる紙幣を受け入れて遊技媒体を貸し出す遊技媒体貸出装置と、当該遊技媒体貸出装置に対して使用される識別媒体と、当該識別媒体に対して予め付与された識別情報に関連付けて、前記有価価値の管理をおこなう管理装置と、前記識別媒体を受け入れるとともに、前記遊技媒体の貸出しにともなって生じる残金の精算をおこなう精算装置とを備えた遊技媒体貸出システムであって、前記遊技媒体貸出装置は、外部から投入された前記識別媒体の識別情報を読み取る第１識別情報処理手段と、高額紙幣を含む有価価値の異なる複数種類の紙幣を受け入れ可能な紙幣受け入れ手段と、前記複数種類の紙幣に価値付けされた有価価値を金額情報として種類別に記憶する金額情報記憶手段と、前記金額情報記憶手段に記憶された金額情報に基づいて、前記遊技媒体の貸出をおこなうとともに当該貸出しにともなって前記有価価値の減算をおこなう制御手段とを備え、前記管理装置は、前記識別媒体に記録された識別情報に関連付けて、遊技にともなって減算した前記有価価値の残金情報を記憶するとともに格納する残金情報管理テーブルと、前記識別媒体に印字された固有番号に関連付けて前記識別情報の登録管理情報を格納する識別媒体情報管理テーブルとを備え、前記精算装置は、外部から投入された前記識別媒体に記録された識別情報を読み取る読み取り手段および前記識別媒体に対して所定の識別情報を書き込む書き込み手段とを有する第２識別情報処理手段と、前記識別媒体から読み取った前記識別情報とは異なる識別情報に更新する識別情報更新手段と、前記識別媒体の受け入れ時に、当該識別媒体に記録された識別情報を前記管理装置に送信するとともに、前記残金情報管理テーブルに格納された複数の識別情報のうちから一致する識別情報を抽出し、当該識別情報に関連付けられた残金情報を取得し、当該残金情報に基づいて精算金を払い出す精算制御手段とを備えるので、コピーカードの使用などによる不正行為を確実に防止することができることから、精算カードの識別ＩＤに対するセキュリティ保護を向上可能な遊技媒体貸出システムを実現できるという効果を奏する。また、識別媒体である精算カードの使用により両替の手間、釣り銭を格納する紙幣収納機構が不要となることから製品コストの削減を図ることができるという効果を奏する。また、両替作業（準備）や釣り銭の補充にともなって、遊技機の稼働率が低下するのを防止できるという効果を奏する。
【０１２１】
請求項３に係る発明によれば、請求項２に記載の発明において、前記遊技媒体貸出装置は、前記識別媒体の受け入れ時に、前記第１識別情報処理手段により読み取った識別情報をキーとして前記管理装置に問い合わせをおこなうとともに、前記残金情報管理テーブルの中から前記識別情報に関連付けられた残金情報を取得し、取得された残金情報に基づいて遊技媒体の貸し出しをおこなうので、精算カードの再使用に関連したコピーカードなどの使用による不正行為の防止およびコスト削減を図ることができるという効果を奏する。また、精算カードの使用により釣り銭を利用して紙幣をその都度投入する手間がなくなるため遊技客の利便性を向上させることができるという効果を奏する。さらに、遊技客は、遊技媒体の借り受け時に、紙幣を投入する手間が無いため連続した長時間に亘る遊技が可能となり、利便性が向上するとともに、ひいては遊技店の売上向上へ繋げることを期待できるという効果を奏する。
【０１２２】
請求項４に係る発明によれば、請求項２または３に記載の発明において、前記管理装置は、前記識別媒体に記録した識別情報を登録識別情報として登録する識別情報登録機能をさらに備え、前記識別情報更新手段により更新される前記識別情報は、前記登録識別情報に基づいた識別情報として更新されるので、識別情報更新手段により識別情報を正確且つ確実に更新できるうえ、この精算カードの再使用に関連したコピーカードなどの使用による不正行為の防止を図ることができるという効果を奏する。
【０１２３】
請求項５に係る発明によれば、請求項２、３または４に記載の発明において、前記精算装置は、前記管理装置により新規に登録された前記登録識別情報と前記識別情報更新手段による更新後の識別情報との相違を判定する更新識別情報判定手段をさらに備えるので、識別ＩＤの書き込みに失敗した精算カードを回収する異常精算カード回収部が不要となるためコストの削減を図ることができるという効果を奏する。
【０１２４】
請求項６に係る発明によれば、請求項５に記載の発明において、前記精算装置は、前記更新識別情報判定手段により識別情報が相違すると判定された精算カードの固有番号リストを表示或いは印字データとして出力する出力手段をさらに備えるので、目視により容易且つ確実に正常な精算カードと異常精算カードとの区別をおこなうことができるという効果を奏する。
【図面の簡単な説明】
【図１】本発明の遊技媒体貸出システムの全体構成を示す説明図である。
【図２】本発明の実施の形態である遊技媒体貸出システムの概略構成を示すブロック図である。
【図３】島管理コントローラに格納された精算カード情報管理テーブルを示す図である。
【図４】島コントローラの内部構成を示すブロック図である。
【図５】島コントローラに格納された残金情報管理テーブルを示す図表である。
【図６】島管理コントローラの内部構成を示すブロック図である。
【図７】島管理コントローラに格納された島コントローラ情報管理テーブルを示す図表である。
【図８】本実施の形態で適用するメダル貸出機の外観を示す正面図である。
【図９】メダル貸出機の内部構成を示すブロック図である。
【図１０】カード精算機の外観を示す正面図である。
【図１１】カード精算機に内部されている各構成部品の配置を示す斜視図である。
【図１２】カード精算機の内部構成を示すブロック図である。
【図１３】第２識別情報処理部の内部構成を示すブロック図である。
【図１４】本発明における遊技媒体貸出システムの全体制御構成を説明するフローチャートである。
【図１５】識別ＩＤ登録処理による処理手順を説明するフローチャートである。
【図１６】残金データ登録／更新処理による処理手順を説明するフローチャートである。
【図１７】遊技機の移動による処理手順を説明するフローチャートである。
【図１８】メダル貸出機と島コントローラとの間で実施される処理手順を説明するフローチャートである。
【図１９】カード精算機と島コントローラとの間で実施される処理手順を説明するフローチャートである。
【図２０】識別ＩＤ更新処理による処理手順を説明するフローチャートである。
【図２１】更新識別ＩＤ判定処理による処理手順を説明するフローチャートである。
【図２２】識別ＩＤ更新判定テーブルに格納されている精算カード情報を示す図である。
【図２３】異常精算カードの固有番号リストのプリント例を示す図である。
【符号の説明】
１、２、３　島コントローラ
１１　パチスロ機
１２　メダル貸出機
１３、１４、１５、２１　カード精算機
１７　残金情報管理テーブル
２０　島管理コントローラ
２２　島コントローラ情報管理テーブル
２３　カード精算機情報管理テーブル
２５　精算カード情報管理テーブル
４０、５０　ＲＡＭ
４２、５２　ＲＯＭ
４１、５１　ＣＰＵ
４３、５３、１２０　表示部
４４、５４　入出力部
４５、５５、９２、１６０　通信Ｉ／Ｆ部
７５、９３、１６５　メモリ
８１　紙幣投入口
８２　カード挿入／排出口
８３　高額紙幣ランプ
８４　カード有りランプ
８５　金額／枚数表示部
８６　精算ボタン
８７　メダル貸出ボタン
８８　メダル投出ノズル
８９　メダル投出部
９０　貸出制御部
９１　第１識別情報処理部
９４　ＢＶユニット部
９４ａ　紙幣搬送路
９６　遊技画面部
９７　スタートボタン
９８　操作ボタン
９９　メダル受け部
１００　扉体
１１０　カード挿入／投出口
１３０　紙幣払出口
１４０　第２識別情報処理部
１４１　読み取り部
１４２　書き込み部
１４３　識別ＩＤ更新部
１４４　更新識別ＩＤ判定部
１４５　ハンディ端末機
１５０　識別ＩＤ更新判定テーブル
１７０　紙幣処理部
１８０　紙幣収納部
１８８　精算カード回収部
１９０　電源部
【図１】
2004081616.tif 000003
【図２】
2004081616.tif 000004
【図３】
2004081616.tif 000005
【図４】
2004081616.tif 000006
【図５】
2004081616.tif 000007
【図６】
2004081616.tif 000008
【図７】
2004081616.tif 000009
【図８】
2004081616.tif 000010
【図９】
2004081616.tif 000011
【図１０】
2004081616.tif 000012
【図１１】
2004081616.tif 000013
【図１２】
2004081616.tif 000014
【図１３】
2004081616.tif 000015
【図１４】
2004081616.tif 000016
【図１５】
2004081616.tif 000017
【図１６】
2004081616.tif 000018
【図１７】
2004081616.tif 000019
【図１８】
2004081616.tif 000020
【図１９】
2004081616.tif 000021
【図２０】
2004081616.tif 000022
【図２１】
2004081616.tif 000023
【図２２】
2004081616.tif 000024
【図２３】
2004081616.tif 000025